(57)【要約】      （修正有）【課題】寒冷期の山奥などの危険な場所において、小規模な雪崩を確実に誘発することのできる方法を提供すること。【解決手段】気密性を有する袋体１を圧力流体により膨らませて雪崩誘発箇所に設置し、当該袋体１上に積雪があった後、袋体１内の圧力流体を排出して袋体１を収縮させ、袋体１上の雪を落下させて雪崩を誘発する。【選択図】図１
2005163310.tif 000002
【特許請求の範囲】
【請求項１】
気密性を有する袋体（１）を圧力流体により膨らませて雪崩誘発箇所に設置し、当該袋体（１）上に積雪があった後、袋体（１）内の圧力流体を排出して袋体（１）を収縮させ、袋体（１）上の雪を落下させて雪崩を誘発することを特徴とする、人工雪崩発生方法
【請求項２】
傾斜面（２）の上部に、当該傾斜面（２）に向かって下る傾斜を有する台座（１８）を設置し、当該台座（１８）上に前記袋体（１）を設置したことを特徴とする、請求項１に記載の人工雪崩発生方法
【請求項３】
前記袋体（１）が、柔軟な布帛製袋（５）と、当該布帛製袋（５）内に収容された気密性を有するゴムバッグ（６）とよりなり、そのゴムバッグ（６）を流体圧力により膨脹させ、当該ゴムバッグ（６）を破裂させることにより当該ゴムバッグ（６）内の圧力流体を排出させ、袋体（１）を収縮させることを特徴とする、請求項１又は２に記載の人工雪崩発生方法
【発明の詳細な説明】
【技術分野】
【０００１】
本発明は人工雪崩発生方法に関するものであって、雪崩が多発する地帯において、突発的な雪崩による被害の発生を防止するために、大規模な雪崩が発生する前に人工的に小規模な雪崩を発生させ、雪崩の要因を取り除く方法に関するものである。
【背景技術】
【０００２】
積雪時に人工的に小規模な雪崩を発生させることにより、大規模な雪崩の要因を取り除くための方法としては、例えば実公平７−１６７２５号公報に記載された方法が知られている。
【０００３】
この方法は、ゴム状弾性材よりなる袋体を折り畳んだ状態で傾斜面上に設置し、積雪があったときにこの袋体を膨らませ、袋体上の雪を滑落させて傾斜面上に雪崩を誘発させるものである。
【０００４】
また特公平５−７９７６３号公報には、傾斜面上に板体を設置し、積雪があったときにこの板体を谷側に下りとなるように機械的に傾斜させ、板体上の雪を滑落させて傾斜面上に雪崩を誘発する方法が示されている。
【０００５】
しかしながら前記実公平７−１６７２５号公報に記載された方法では、袋体を傾斜面上に設置しておき、積雪があったときにこの袋体を膨らませて雪を滑落させ、雪崩を誘発させるものであるため、ボンベやエアーポンプなどの空気圧入手段を現地に設置しておく必要があり、それらの手段が凍結したり配管が凍結したりして、正常に作動させることが困難となる可能性がある。
【０００６】
また袋体のみを設置しておき、空気圧入手段をその都度現地に搬送することも考えられるが、かかる雪崩を誘発させるべき場所は深く積雪した急斜面の上部であり、しかも雪崩の危険が極めて高い状況にあり、そのような場所に資材を搬送することは、困難であるばかりでなく、極めて危険でもある。
【０００７】
さらに、袋体は相当程度大きな容積を有するものであり、これを膨らませる速度は、空気圧入手段の能力にもよるが、かなりゆっくりとしたものとなる。特に袋体の上には雪が厚く積っており、その重量を押し退けて袋体を膨らませるためには数気圧程度の圧力が必要であり、それだけの圧力を加えながら袋体を膨らませるので、衝撃が加わるように瞬間的に膨らませることはできない。
【０００８】
そのため袋体が膨らむのに伴って、袋体の上に積った雪はゆっくりと変形することとなり、塑性変形に似た変形を生じ、袋体を膨らませても亀裂が生じなかったり、亀裂が生じても雪崩を誘発し得ないことがある。
【０００９】
また前記特公平５−７９７６３号公報に記載された発明は、傾斜面上に設置された板体を機械的に傾斜させ、板体上の雪を滑落させるものであるが、厳寒期に雪に埋もれて凍結した機械類を正常に作動させることは困難である。また極めて強い力で強引に作動させるためには、極めて強大な出力を必要とし、凍結の状態によっては装置が破壊される可能性もある。
【特許文献１】実公平７−１６７２５号公報
【特許文献２】特公平５−７９７６３号公報
【発明の開示】
【発明が解決しようとする課題】
【００１０】
本発明はかかる事情に鑑みなされたものであって、寒冷期の山奥などの危険な場所において、小規模な雪崩を確実に誘発することのできる方法を提供することを目的とするものである。
【課題を解決するための手段】
【００１１】
而して本発明の方法は、気密性を有する袋体を圧力流体により膨らませて雪崩誘発箇所に設置し、当該袋体上に積雪があった後、袋体内の圧力流体を排出して袋体を収縮させ、袋体上の雪を落下させて雪崩を誘発することを特徴とするものである。本発明においては、傾斜面の上部に、当該傾斜面に向かって下る傾斜を有する台座を設置し、当該台座上に前記袋体を設置することもできる。
【００１２】
また前記袋体として、柔軟な布帛製袋と、当該布帛製袋内に収容された気密性を有するゴムバッグとよりなるものを使用し、そのゴムバッグを流体圧力により膨脹させ、当該ゴムバッグを破裂させることにより当該ゴムバッグ内の圧力流体を排出させ、袋体を収縮させるのが好ましい。
【発明の効果】
【００１３】
本発明によれば、膨らませた状態で設置した袋体を収縮させることにより袋体上の雪を落下させて雪崩を誘発するので、凍結の影響などを受けることなく確実に雪崩を誘発することができ、寒冷期の山奥などの危険な場所において、小規模な雪崩を確実に誘発することのでき、大規模な雪崩による災害を未然に防止することができる。
【発明を実施するための最良の形態】
【００１４】
図１は本発明の方法を実施するための装置を示すものである。１は袋体であって、膨らませた状態で雪崩誘発箇所の傾斜面２に設置し、ベルト３とアンカー４により傾斜面２に対して固定されている。
【００１５】
前記袋体１は、筒状の織物などよりなる布帛製袋５内に、気密性を有するゴムバッグ６が収容されており、当該ゴムバッグ６内に圧縮空気を封入することにより膨らんだ状態に保持されている。
【００１６】
前記布帛製袋５は、シームレスに織られた強度の高い筒状織物が適している。積雪の重量は、袋体１の上に積もった雪の重さだけ見ればそれ程大きいものではないが、袋体１上の雪が周囲の雪と一体となって全体として袋体１にかかるので、袋体１の面積の２〜３倍の面積に相当する積雪重量に耐える必要がある。
【００１７】
また布帛製袋５としては、両端部が細く中央部が太く織成されたシームレスの異径筒状織物が適している。本発明の目的に照らして布帛製袋５は相当程度に大きいものである必要があり、かかる大きな布帛製袋５の両端を閉塞すると内圧によりその閉塞部に大きな力がかかるので、両端部を細く織成して閉塞部分をコンパクトにし、その強度を高めるのが好ましいのである。
【００１８】
布帛製袋５の具体的な仕様の一例を挙げると、次の通りである。
小径部直径：６７５mm
大径部直径：１０３０mm
全長：８０００mm
小径部長さ：４５５mm
大径部長さ：６５３０mm
たて糸：ポリエステル繊維  １０００d／５本、２４００本
よこ糸：ポリエステル繊維  １０００d／２０本
よこ糸密度  小径部：２．２本／cm
大径部：４．０本／cm
破断圧：０．９MPa
【００１９】
ゴムバッグ６は、伸縮性を有するゴム製の袋体であって、前記布帛製袋５内に収容され、布帛製袋５により内圧が支えられている。当該ゴムバッグ６内に封入する空気の圧力は、袋体１上に積る雪の重量により袋体１が押し潰されない程度の圧力が必要であり、０．２〜０．３MPa程度が適当である。
【００２０】
そしてゴムバッグ６には、空気排出装置７が接続されている。空気排出装置７は、ゴムバッグ６に接続された接続管８を開閉するバルブであってもよく、また接続管８を切断するものであってもよい。この空気排出装置７は、安全な場所から遠隔操作で作動するものとするのが好ましい。
【００２１】
図２は空気排出装置７の一例を示すものであって、ケース９内に、シリンダー１０からピストン１１により射出される針１２が収容されており、シリンダー１０にはガスボンベ１３からバルブ１４を介して高圧ガスが圧入され、前記ピストン１１を作動させて鋭利なピン１２を射出するようになっている。１５はバルブ１４を作動させる電源としてのバッテリーであって、遠方から電波などによるリモコンの操作で、バッテリー１５の電力によりバルブ１４を開閉するようになっている。
【００２２】
そしてシリンダー１０から射出されたピン１２は、鎖線で示すようにケース９から突出し、布帛製袋５に形成された穴１６を貫通してゴムバッグ６に突刺さり、内圧により膨脹していたゴムバッグ６を破裂させて収縮させるものである。
【００２３】
この空気排出装置７はゴムバッグ６を破裂させることにより袋体１を一気に収縮させるので、その袋体１上に積もった雪に衝撃が加わるように瞬間的に落下させ、効果的に雪崩を誘発させることができる。
【００２４】
袋体１が収縮し始めたならば、当該袋体１上に積もっていた雪１６は収縮した袋体１上に落ちかかり、その雪１６の重量により袋体１の収縮はさらに加速される。そして袋体１が収縮すると、その上の雪１６は図３に示すように極めて不安定な状態となり、部分的に亀裂１７が生じ、その亀裂１７から下の部分の雪１６が傾斜面２に沿って滑り落ち、さらに下方の雪１６を押し流して雪崩を生ぜしめるのである。
【００２５】
図４は本発明を実施する他の形態を示すものであって、傾斜面２の上部に、当該傾斜面２に向かって下る傾斜を有する台座１８を設置し、当該台座１８上に袋体１が設置されている。
【００２６】
この形態においては、雪崩を誘発させる手順は先に説明したのと同様であるが、袋体１上で崩れた雪が台座１８に当たり、斜面下方に向かって連鎖的に崩れるので、下方に積もっている雪に対してさらに雪崩を発生させやすくなる。
【図面の簡単な説明】
【００２７】
【図１】本発明を実施する一形態を示す中央縦断面図
【図２】図１における空気排出装置の一例を示す中央縦断面図
【図３】図１において袋体を収縮させた状態の側面図
【図４】本発明を実施する他の形態を示す側面図
【符号の説明】
【００２８】
１  袋体
２  傾斜面
５  布帛製袋
６  ゴムバッグ
１８  台座
【図１】
2005163310.tif 000003
【図２】
2005163310.tif 000004
【図３】
2005163310.tif 000005
【図４】
2005163310.tif 000006